(57)【要約】【課題】帳票に記入された情報を電子化して登録する際のセキュリティの強化を図る。【解決手段】複数枚の帳票それぞれをイメージ化した帳票イメージデータを取得する帳票イメージ取得部と、前記帳票イメージデータそれぞれを帳票の予め設定された記入領域ごとに分割して複数の分割イメージデータを作成するイメージ分割部と、異なる記入領域の分割イメージデータの複数を記入領域が順不同となるようにシャッフルする分割イメージシャッフル部と、シャッフルされた複数の前記分割イメージデータを文字認識手段に送信する分割イメージ送信部と、前記分割イメージデータそれぞれを文字認識した結果である分割テキストデータを受け付ける分割テキスト受付部と、共通の帳票イメージデータを元にする複数の前記分割テキストデータを統合するテキスト統合部とを備えるようにした。【選択図】図８
2020107330.tif 000002
【特許請求の範囲】
【請求項１】
複数枚の記入済み帳票をイメージ化した複数の帳票イメージデータを格納する帳票イメージ格納部と、
前記帳票イメージデータそれぞれを帳票の予め設定された記入領域ごとに分割して複数の分割イメージデータを作成するイメージ分割部と、
異なる記入領域の分割イメージデータを含む複数の分割イメージデータを、少なくとも記入領域が順不同となるようにシャッフルする分割イメージシャッフル部と、
シャッフルされた複数の前記分割イメージデータを文字認識手段に送信する分割イメージ送信部と、
前記分割イメージデータそれぞれを文字認識した結果である分割テキストデータを受け付ける分割テキスト受付部と、
共通の帳票イメージデータを元にする複数の前記分割テキストデータを統合してテキスト統合データを作成するテキスト統合部とを備えることを特徴とする帳票登録装置。
【請求項２】
前記イメージ分割部が、前記分割イメージデータのファイル名を、前記記入領域それぞれに対して生成されたユニークキーを少なくとも含む文字列とし、
前記分割イメージシャッフル部が、前記分割イメージ送信部による前記分割イメージデータの送信順を、前記ファイル名に関して予め定めた規則に従って決定することを特徴とする請求項１記載の帳票登録装置。
【請求項３】
前記分割イメージシャッフル部によりシャッフルされる複数の分割イメージデータの元となる帳票の枚数が、予め設定されており、その設定枚数が変更可能であることを特徴とする請求項１又は２記載の帳票登録装置。
【請求項４】
帳票に設定された記入領域のうち、前記分割イメージ送信部の送信対象から除く記入領域を受け付けて、その記入領域を非送信領域として設定する非送信領域設定部をさらに備えることを特徴とする請求項１乃至３のうち何れか一項に記載の帳票登録装置。
【請求項５】
前記テキスト統合部により作成された複数のテキスト統合データを所定の出力形式で出力するデータ出力部と、
前記データ出力部の出力対象から除くテキスト統合データを受け付けて、そのテキスト統合データを非出力データとして設定するデータ抜き取り部とをさらに備えることを特徴とする請求項１乃至４のうち何れか一項に記載の帳票登録装置。
【請求項６】
複数枚の記入済み帳票をイメージ化した複数の帳票イメージデータを格納する帳票イメージ格納部と、
前記帳票イメージデータそれぞれを帳票の予め設定された記入領域ごとに分割して複数の分割イメージデータを作成するイメージ分割部と、
異なる記入領域の分割イメージデータを含む複数の分割イメージデータを、少なくとも記入領域が順不同となるようにシャッフルする分割イメージシャッフル部と、
シャッフルされた複数の前記分割イメージデータを文字認識手段に送信する分割イメージ送信部と、
前記分割イメージデータそれぞれを文字認識した結果である分割テキストデータを受け付ける分割テキスト受付部と、
共通の帳票イメージデータを元にする複数の前記分割テキストデータを統合してテキスト統合データを作成するテキスト統合部としての機能をコンピュータに発揮させることを特徴とする帳票登録用プログラム。
【発明の詳細な説明】
【技術分野】
【０００１】
本発明は、帳票に記入された情報をテキスト化して登録するために用いられる帳票登録装置及びこの装置に用いられるプログラムに関するものである。
【背景技術】
【０００２】
例えば、転居届けや受診票などの帳票に記入された情報を電子化して登録しておくシステムとしては、特許文献１に示すように、記入済みの帳票をイメージ化して、そのイメージデータを文字認識手段により文字認識させ、これにより得られたテキストデータを登録するように構成されたものがある。
【０００３】
かかるシステムにおいて、テキストデータを登録する側が、文字認識を外部に委託する場合、その外部に帳票のイメージデータをそのまま送れば個人情報の漏洩に繋がる。
【０００４】
そこで、特許文献１に示すシステムでは、複数の帳票のイメージデータそれぞれを名前や電話番号などの項目毎に分割し、それらの分割イメージデータのうち項目が共通するものを順不同にシャッフルしてから、文字認識手段に送信することで個人情報の保護を図っている。
【０００５】
しかしながら、このように項目が共通する分割イメージデータをシャッフルしたとしても、送られてきた分割イメージデータがどの項目のものであるかは比較的容易に推測されてしまうため、個人情報に対するセキュリティは決して高いとはいえない。
【先行技術文献】
【特許文献】
【０００６】
【特許文献１】特開２００６−２４４３１５号公報
【発明の概要】
【発明が解決しようとする課題】
【０００７】
そこで、本発明は、上述した問題を解決するべくなされたものであり、帳票に記入された情報を電子化して登録するにあたり、そのセキュリティの強化を図ることをその主たる課題とするものである。
【課題を解決するための手段】
【０００８】
すなわち、本発明に係る帳票登録装置は、複数枚の記入済み帳票をイメージ化した複数の帳票イメージデータを格納する帳票イメージ格納部と、前記帳票イメージデータそれぞれを帳票の予め設定された記入領域ごとに分割して複数の分割イメージデータを作成するイメージ分割部と、異なる記入領域の分割イメージデータを含む複数の分割イメージデータを、少なくとも記入領域が順不同となるようにシャッフルする分割イメージシャッフル部と、シャッフルされた複数の前記分割イメージデータを文字認識手段に送信する分割イメージ送信部と、前記分割イメージデータそれぞれを文字認識した結果である分割テキストデータを受け付ける分割テキスト受付部と、共通の帳票イメージデータを元にする複数の前記分割テキストデータを統合してテキスト統合データを作成するテキスト統合部とを備えることを特徴とするものである。
【０００９】
このように構成された帳票登録装置によれば、例えば「姓」と「名」を異なる記入領域として設定すれば、複数人の氏名を姓と名とに分割した分割イメージデータがシャッフルされるので、それらの分割イメージデータから例えば特定の人物の氏名を推測することはほぼ不可能である。
また、例えば電話番号や郵便番号を実際の桁数よりも少ない文字に区切り、それらを異なる記入領域に設定すれば、それらの分割イメージデータは、もはや単なる数字を表すに過ぎず、どの項目の数字であったかすら推測することが出来なくなる。
このように、本発明に係る帳票登録装置によれば、異なる記入領域の分割イメージデータを含む複数の分割イメージデータを少なくとも記入領域が順不同となるようにシャッフルして文字認識手段に送信するので、セキュリティを従来よりも遥かに強化することができる。
【００１０】
前記イメージ分割部が、前記分割イメージデータのファイル名を、前記記入領域それぞれに対して生成されたユニークキーを少なくとも含む文字列とし、前記分割イメージシャッフル部が、前記分割イメージ送信部による前記分割イメージデータの送信順を、前記ファイル名に関して予め定めた規則に従って決定することが好ましい。
このような構成であれば、分割イメージデータのファイル名に固有のユニークキーが含まれているので、例えばファイル名のアルファベット順や数字順に分割イメージデータを送信するように決定すれば、複数の分割イメージデータを簡単にシャッフルすることができる。
【００１１】
セキュリティの強化とデータの処理時間とはトレードオフの関係にあり、例えばシャッフルする分割イメージデータが多い程、セキュリティは強化されるが、その一方で、データ処理に要する時間は長くなる。
そこで、前記分割イメージシャッフル部によりシャッフルされる複数の分割イメージデータの元となる帳票の枚数が、予め設定されており、その設定枚数が変更可能であることが好ましい。
このような構成であれば、ユーザは、所望するセキュリティや所望するデータ処理時間とに鑑みて、設定枚数を変更することができ、ユーザにとってより使い勝手の良いものとなる。
【００１２】
ユーザによっては、帳票に記入された項目のうち、一部の項目が外部に送信してはいけないものとして取り決められている場合がある。
こうした場合にも本装置を利用可能なものとするためには、帳票に設定された記入領域のうち、前記分割イメージ送信部の送信対象から除く記入領域を受け付けて、その記入領域を非送信領域として設定する非送信領域設定部をさらに備えることが好ましい。
このような構成であれば、外部に送信できない項目を非送信領域として設定することで、残りの送信可能な項目に対して本発明に係る装置を利用することができる。
【００１３】
前記テキスト統合部により作成された複数のテキスト統合データを出力するデータ出力部と、前記データ出力部の出力対象から除くテキスト統合データを受け付けて、そのテキスト統合データを非出力データとして設定するデータ抜き取り部とをさらに備えることが好ましい。
このような構成であれば、テキスト統合データのうち、例えば記入内容を再確認する必要があるようなものを、そのまま出力されてしまわないように抜き取っておくことができ、後から再確認等することができる。
【００１４】
また、本発明に係る帳票登録用プログラムは、複数枚の記入済み帳票をイメージ化した複数の帳票イメージデータを格納する帳票イメージ格納部と、前記帳票イメージデータそれぞれを帳票の予め設定された記入領域ごとに分割して複数の分割イメージデータを作成するイメージ分割部と、異なる記入領域の分割イメージデータを含む複数の分割イメージデータを、少なくとも記入領域が順不同となるようにシャッフルする分割イメージシャッフル部と、シャッフルされた複数の前記分割イメージデータを文字認識手段に送信する分割イメージ送信部と、前記分割イメージデータそれぞれを文字認識した結果である分割テキストデータを受け付ける分割テキスト受付部と、共通の帳票イメージデータを元にする複数の前記分割テキストデータを統合してテキスト統合データを作成するテキスト統合部としての機能をコンピュータに発揮させることを特徴とするものである。
このように構成された帳票登録用プログラムによっても、上述した帳票登録装置と同様の作用効果を奏し得る。
【発明の効果】
【００１５】
このように構成した本発明によれば、帳票に記入された情報を電子化して登録する際のセキュリティを従来に比べて遥かに強化することができる。
【図面の簡単な説明】
【００１６】
【図１】本実施形態に係る帳票登録装置の使用例を示す模式図。
【図２】同実施形態における帳票の模式図。
【図３】同実施形態における帳票登録装置の機能を示す機能ブロック図。
【図４】同実施形態における帳票登録装置の動作を説明するためのフローチャート図。
【図５】同実施形態におけるテンプレートファイルを説明する図。
【図６】同実施形態における参照テーブルを説明する図。
【図７】同実施形態におけるイメージ分割部の機能を説明する図。
【図８】同実施形態における分割イメージシャッフル部の機能を説明する図。
【図９】その他の実施形態における帳票登録装置の機能を示す機能ブロック図。
【発明を実施するための形態】
【００１７】
本発明の一実施形態に係る帳票登録装置について図面を参照しながら説明する。
【００１８】
本実施形態の帳票登録装置１は、帳票Ｐに記入された情報を電子化して登録するために用いられるものであり、図１に示すように、スキャナ等の撮像手段２やＯＣＲ等の文字認識手段３とともに帳票登録システムＸを構築するものである。
【００１９】
まず、帳票Ｐについて、図２を参照しながら簡単に説明する。
帳票Ｐは、複数の記入項目それぞれに対する記入欄Ｐ１が設けられた記入用紙である。記入項目は、「氏名」、「生年月日」、「住所」、「電話番号」、「性別」などである。記入欄Ｐ１は、ここでは枠線で囲われており、例えば「性別」という記入項目に対する記入欄Ｐ１のように、１つの記入領域Ｐ２が設けられているものもあれば、例えば「氏名」という記入項目に対する「姓」の記入領域Ｐ２、及び、「名」の記入領域Ｐ２のように、複数の記入領域Ｐ２に細分化されているものもある。つまり、記入欄Ｐ１には、予め１又は複数の記入領域Ｐ２が設定されている。
【００２０】
次に、帳票登録装置１について説明する。
この帳票登録装置１は、ＣＰＵ、メモリ、入出力インターフェース等を備えた専用乃至汎用のコンピュータであり、前記メモリに格納されている帳票登録用プログラムに従って、ＣＰＵやその他の周辺機器を協働させることにより、図３に示すように、テンプレート格納部１１、帳票イメージ格納部１２、ファイル名変更部１３、参照テーブル作成部１５、イメージ分割部１６、分割イメージシャッフル部１８、分割イメージ送信部２０、分割テキスト受付部２１、及びテキスト統合部２３などとしての機能を発揮するように構成されたものである。
【００２１】
以下、各部に説明を兼ねて、図３の機能ブロック図、及び、図４のフローチャートを参照しながら、帳票登録装置１を用いた本帳票登録システムＸによる情報の登録までの動作について説明する。なお、以下に述べる種々のイメージデータは、画像データであっても良いし、画像データを文字列に変換したデータであっても良い。
【００２２】
まず、ユーザは、図５に示すように、帳票Ｐに設けられている記入領域Ｐ２の位置、及び、その記入領域Ｐ２に対する項目名を少なくとも結び付けた複数のテンプレート情報からなるテンプレートファイルを作成する（Ｓ１）。
【００２３】
具体的には、マウスやキーボードやタッチパネルなどの入力手段を用いて、帳票Ｐに設定されている記入領域Ｐ２を選択し、その記入領域Ｐ２に対する項目名を入力する。これにより、その記入領域Ｐ２の位置を示す座標及び項目名がテンプレート情報として結び付き、そのテンプレート情報が本装置１のハードディスクの所定領域に設定されたテンプレート格納部１１に格納される。なお、テンプレート情報としては、記入領域Ｐ２の座標や項目名に加えて、例えば記入領域Ｐ２に記入される文字種（例えば数字、アルファベット等）や、記入領域Ｐ２の行数など、記入領域Ｐ２に関する付加情報を結び付けても良い。なお、テンプレート格納部１１は、ＳＳＤ等の補助記憶装置に設定されていても良い。
【００２４】
一方、複数枚の記入済み帳票Ｐは、スキャナ等の撮像手段２を用いてイメージ化する（Ｓ２）。そして、イメージ化した帳票イメージデータを本装置１に入力し、複数枚分の帳票イメージデータが本装置１のハードディスクの所定領域に設定された帳票イメージ格納部１２に格納される。なお、帳票イメージ格納部１２は、ＳＳＤ等の補助記憶装置に設定されていても良い。
【００２５】
次に、ファイル名変更部１３が、帳票イメージ格納部１２に格納されている帳票イメージデータそれぞれのファイル名を、互いに異なる固有のファイル名にユニーク化する（Ｓ３）。
【００２６】
具体的にファイル名変更部１３は、帳票イメージ格納部１２から帳票イメージデータを順次取得し、それぞれの帳票イメージデータに対して、複数の文字列からなり、互いい異なる第１のユニークキーを生成する。そして、帳票イメージデータを取得した際のファイル名の手前に、生成した第１のユニークキーを付加したものを、ユニーク化後のファイル名とする。例えば、取得した帳票イメージデータのファイル名がabcであり、この帳票イメージデータに対して生成した第１のユニークキーが3f2504E0であれば、ユニーク化後のファイル名は、3f2504E0.abcとなる。そして、このようにファイル名がユニーク化された帳票イメージデータは、本装置１のハードディスクの所定領域に設定されたユニークファイル格納部１４に保存される。なお、ユニークファイル格納部１４は、ＳＳＤ等の補助記憶装置に設定されていても良い。
なお、ファイル名のユニーク化方法は上述したものに限らず、例えば帳票イメージデータを取得した際のファイル名を、生成した第１のユニークキーに置き換えたものをユニーク化後のファイル名とするなど、適宜変更して構わない。
【００２７】
続いて、参照テーブル作成部１５が、図６に示すように、ユニーク化後のファイル名、テンプレート情報に含まれる項目名、及び各項目名に対して生成された第２のユニークキーを結び付けた参照テーブルを作成する（Ｓ４）。なお、参照テーブル作成部１５は、オンメモリにより発揮される機能である。ただし、参照テーブル作成部１５としての機能を、オンメモリデータベースや仮想ドライブなどの技術により発揮させても良い。
【００２８】
具体的に参照テーブル作成部１５は、テンプレート格納部１１にテンプレート情報として格納されている複数の項目名を参照し、それらの項目名それぞれに対して、複数の文字列からなり、互いに異なる第２のユニークキーを生成する。
【００２９】
そして、１つの帳票イメージデータのユニーク化後のファイル名、すなわち第１のユニークキーを含むファイル名に対して、複数の項目名と、各項目名に対して生成された第２のユニークキーとを結び付ける。なお、参照テーブルとしては、テンプレート情報に含まれる付加情報がさらに結び付けられていても良い。
【００３０】
参照テーブル作成部１５は、上述した動作を予め設定された設定枚数分の帳票イメージデータに対して順次行う。これにより、参照テーブル作成部１５は、単一の参照テーブルの作成において、上述した設定枚数に、テンプレート格納部１１に格納されている項目名の数（項目数）を掛け合わせた数だけ、第２のユニークキーを生成することになる。
なお、設定枚数は変更可能であり、具体的にはユーザがキーボード等の入力手段を用いて設定枚数を入力すると、その入力値を設定枚数変更部（不図示）が受け付けて設定枚数が変更される。
【００３１】
その後、イメージ分割部１６が、ユニークファイル格納部１４から帳票イメージデータを取得し、図７に示すように、その帳票イメージデータを記入領域Ｐ２ごとに分割して分割イメージデータを作成する（Ｓ５）。なお、イメージ分割部１６は、オンメモリにより発揮させる機能である。ただし、イメージ分割部１６としての機能を、オンメモリデータベースや仮想ドライブなどの技術により発揮させても良い。
【００３２】
具体的にイメージ分割部１６は、テンプレート格納部１１を参照して、項目名それぞれに対応する記入領域Ｐ２の座標を取得し、それらの座標で表される記入領域Ｐ２毎に帳票イメージデータを分割する。
【００３３】
そして、イメージ分割部１６は、参照テーブルを参照して、図７に示すように、各項目名それぞれに結び付けられている第２のユニークキーを、各分割イメージデータのファイル名とする。なお、分割データのファイル名は、必ずしも第２のユニークキーのみからなる必要はなく、例えば、少なくとも第２のユニークキーを含むものであれば、その第２のユニークキーの後ろに別の文字列が付加されていても良い。
【００３４】
イメージ分割部１６は、かかる帳票イメージデータの分割を設定枚数分の帳票イメージデータに対して行う。これにより、分割イメージデータは、上述した設定枚数に、テンプレート格納部１１に格納されている項目名の数（項目数）を掛け合わせた数だけ生成されることになる。そして、これらのファイル名には、互いに異なる第２のユニークキーが含まれており、全て異なる固有のファイル名となる。
【００３５】
そして、これらの分割イメージデータの中には、互いに異なる記入領域Ｐ２の分割イメージデータが複数含まれることになる。
より詳細に説明すると、例えば上述したテンプレートファイルの作成時において、帳票Ｐの「姓」及び「名」を互いに異なる記入領域Ｐ２として設定すれば、イメージ分割部１６により作成された複数の分割イメージデータの中には、設定枚数分の帳票Ｐに記入された「姓」の分割イメージデータと、設定枚数分の帳票Ｐに記入された「名」の分割イメージデータとが混在する。
また、図７とは別の態様ではあるが、例えば郵便番号の各桁や電話番号の各桁を互いに異なる記入領域Ｐ２として設定すれば、イメージ分割部１６により作成された複数の分割イメージデータの中には、設定枚数分の帳票Ｐに記入された郵便番号の各桁及び電話番号の各桁それぞれの分割イメージデータが混在することになる。
ただし、記入領域Ｐ２の設定方法は、上述した態様に限らず、ユーザが適宜変更して構わない。
【００３６】
そして、これらの分割イメージデータは、本装置１のハードディスクの所定領域に設定された分割イメージ格納部１７に保存される。なお、分割イメージ格納部１７は、ＳＳＤ等の補助記憶装置に設定されていても良い。
【００３７】
次に、分割イメージシャッフル部１８が、図８に示すように、分割イメージ格納部１７に格納されている複数の分割イメージデータを、少なくとも記入領域Ｐ２が順不同となるようにシャッフルする（Ｓ６）。
【００３８】
具体的に分割イメージシャッフル部１８は、後述する分割イメージ送信部２０による分割イメージデータの送信順を、分割イメージデータのファイル名に関して予め定めた規則に従って決定することで、送信される分割イメージデータの記入領域Ｐ２を不規則にする。
【００３９】
予め定めた規則とは、例えばアルファベット順、数字順、或いはこれらを組み合わせた順序などを挙げることができ、分割イメージシャッフル部１８は、この予め定められた順序で、分割イメージデータを分割イメージ格納部１７から順次取得して並べる。
【００４０】
なお、ここでの分割イメージシャッフル部１８は、上述した参照テーブルを参照して、分割イメージ格納部１７から取得した分割イメージデータのファイル名に用いられている第２のユニークキーに結び付いた付加情報を、その分割イメージデータに附帯させる。これにより、後述する文字認識手段３は、この付加情報を用いて文字認識を行うことができる。
【００４１】
そして、この実施形態では、後述の分割イメージ送信部２０により１度に送信されるデータ量を抑えるべく、分割イメージシャッフル部１８は、分割イメージ格納部１７から連続して取得した所定数の分割イメージデータを１つの送信用データ群としてまとめる。
【００４２】
その後、分割イメージ格納部１７に格納された全ての分割イメージデータ、すなわち上述した設定枚数に項目数を掛け合わせた数の分割イメージデータの全てが、分割イメージシャッフル部１８により取得されてシャッフルされたかが判断される（Ｓ７）。
【００４３】
分割イメージ格納部１７に格納された全ての分割イメージデータがシャッフルされていなければ、分割イメージシャッフル部１８による動作が繰り返される。
一方、分割イメージ格納部１７に格納された分割イメージデータの全てがシャッフルされると、上述した参照テーブル作成部１５により作成された参照テーブルが、オンメモリから削除され、本装置１のハードディスクの所定領域に設定された参照テーブル蓄積部１９に蓄積される（Ｓ８）。なお、参照テーブル蓄積部９は、ＳＳＤ等の補助記憶装置に設定されていても良い。
【００４４】
参照テーブルがオンメモリから削除されると、次に、帳票イメージ格納部１２に格納された帳票イメージデータが残っているかが判断される（Ｓ９）。
【００４５】
帳票イメージ格納部１２に帳票イメージデータが残っている場合は、Ｓ３〜Ｓ９までの動作を繰り返す。
一方、帳票イメージ格納部１２に格納された帳票イメージデータが存在しなくなると、分割イメージ送信部２０が、シャッフルされた分割イメージデータを、ここでは送信用データ群ごとに文字認識手段３に送信する（Ｓ１０）。なお、文字認識手段３は、本装置１の外部にあり、本装置１のユーザとは別の者によって操作されるので、分割イメージ送信部２０は、分割イメージデータを本装置１の外部に出力することになる。
【００４６】
文字認識手段３は、分割イメージ送信部２０により送信された分割イメージデータそれぞれを文字認識し、これにより得られた結果である分割テキストデータを作成する（Ｓ１１）。ここで、文字認識手段３は、分割イメージデータのファイル名、すなわち第２のユニークキーを、分割テキストデータのファイル名として引き継ぐように構成されており、このように作成された分割テキストデータは、文字認識手段３から本装置１に入力される。
【００４７】
入力された分割テキストデータは、本装置１の分割テキスト受付部２１により受け付けられ、本装置１のハードディスクの所定領域に設定された分割テキスト格納部２２に格納される（Ｓ１２）。なお、分割テキスト格納部２２は、ＳＳＤ等の補助記憶装置に設定されていても良い。
【００４８】
その後、テキスト統合部２３が、複数の分割テキストデータのうち、共通の帳票イメージデータを元にする複数の分割テキストデータを統合してテキスト統合データを作成する（Ｓ１３）。
【００４９】
具体的にテキスト統合部２３は、上述した参照テーブル蓄積部１９に蓄積された参照テーブルを参照して、分割テキストデータのファイル名に用いられている第２のユニークキーに結び付いた帳票イメージデータのファイル名（第１のユニークキー）を特定し、このファイル名（第１のユニークキー）が共通している分割テキストデータを、共通の帳票イメージデータを元にするものとして特定する。
【００５０】
そして、共通の帳票イメージデータを元にする分割テキストデータを全て特定した後、再び参照テーブルを参照して、各分割テキストデータのファイル名に用いられている第２のユニークキーに結び付いた項目名を特定し、各分割テキストデータの示す文字列を、その特定した項目名として記入された文字列として認定する。
【００５１】
ここで、テキスト統合部２３は、テキスト統合データを作成した後、そのテキスト統合データを構成する各分割テキストデータの示す文字列をディスプレイに表示する。
【００５２】
具体的にテキスト統合部２３は、分割テキストデータの元となる帳票イメージデータをユニークファイル格納部１４から取得して、その元となる帳票の画像と分割テキストデータの示す文字列とを比較可能に表示する。
なお、帳票イメージデータをユニークファイル格納部１４から取得する代わりに、或いは、帳票イメージデータの取得に加えて、分割イメージ格納部１７から分割テキストデータに対応する分割イメージデータを取得し、その文字列及び分割画像を比較可能に表示しても良い。
【００５３】
ここで、本装置１は、分割テキストデータが示す文字列を修正可能に構成されている。
例えばテキスト統合部２３によりディスプレイ表示された文字列の中に、文字認識手段３の誤認識により作成された文字列が含まれている場合、例えばマウスやキーボードやタッチパネル等の入力手段を用いてその文字列を修正することができ、その修正後の文字列が分割テキストデータの示す文字列として更新される。
【００５４】
上述したようにテキスト統合部２３により作成されたテキスト統合データは、データ出力部２４によって出力可能である。
【００５５】
データ出力部２４は、テキスト統合データを所定の出力形式で出力するものであり、ここでは帳票複数枚分のテキスト統合データを一括して、例えば分割テキストデータが示す文字列と、その分割テキストデータに対応する項目名とを識別可能に例えば表形式等で出力する（Ｓ１４）。
【００５６】
本装置１は、テキスト統合部２３により作成された複数のテキスト統合データのうち、データ出力部２４の出力対象から除くテキスト統合データを受け付けて、そのテキスト統合データを非出力データとして設定するデータ抜き取り部２５としての機能をさらに備えている。
【００５７】
より具体的に説明すると、例えばテキスト統合部２３によりディスプレイ表示されているテキスト統合データのうち、例えば記入された手書き文字そのものが読めなかったり、性別が男女ともに選択されている場合など、再確認が必要なテキスト統合データに対して、そのテキスト統合データを例えばマウスやタッチパネル等により選択できるようにしてある。
【００５８】
これにより、選択されたテキスト統合データがデータ抜き取り部２５により受け付けられて、非出力データとして設定され、データ出力部２４による一括出力の対象から外される。なお、設定された非出力データに対して、例えば再確認の理由など種々のコメントを記入できるようにしても良い。
【００５９】
このように構成された帳票登録装置１によれば、例えば複数人の氏名を姓と名とに分割した分割イメージデータがシャッフルされるので、それらの分割イメージデータから例えば特定の人物の氏名を推測することはほぼ不可能である。
また、例えば電話番号や郵便番号を実際の桁数よりも少ない桁数に分割した分割イメージデータをシャッフルすれば、それらの分割イメージデータは、もはや単なる数字を表すに過ぎず、どの項目の数字であったかすら推測することが難しい。
このように、本発明に係る帳票登録装置１によれば、異なる記入領域Ｐ２の分割イメージデータの複数を、記入領域Ｐ２が順不同となるようにシャッフルして文字認識手段３に送信するので、セキュリティを従来よりも遥かに強化することができる。
【００６０】
さらに、分割イメージデータのファイル名に第２のユニークキーが用いられるので、複数の分割イメージデータを例えばファイル名がアルファベット順や数字順となるように並べることで、複数の分割イメージデータを簡単にシャッフルすることができる。
【００６１】
加えて、シャッフルされる複数の分割イメージデータの元となる帳票Ｐの設定枚数が変更可能であるので、ユーザは、所望するセキュリティの高さとデータ処理時間とに鑑みて、設定枚数を変更することができ、ユーザにとってより使い勝手の良いものとなる。
【００６２】
そのうえ、テキストデータ抜き取り部２５が、データ出力部２４の出力対象から除くテキスト統合データ非出力データとして設定するので、テキスト統合データのうち、例えば記入内容を再確認する必要があるようなものを、そのまま出力されてしまわないように抜き取っておくことができ、後から再確認することができる。
【００６３】
なお、本発明は前記実施形態に限られるものではない。
【００６４】
例えば、ユーザによっては、帳票Ｐに記入された項目のうち、一部の項目を外部に送信してはいけないものとして取り決められている場合がある。
【００６５】
そこで、帳票登録装置１としては、図９に示すように、帳票Ｐに設定された記入領域Ｐ２のうち、分割イメージ送信部２０の送信対象から除く記入領域Ｐ２を受け付けて、その記入領域Ｐ２を非送信領域として設定する非送信領域設定部２６をさらに備えていても良い。
【００６６】
具体的には、例えばテンプレートファイルの作成時において、項目名を所定の態様で入力すると、非送信領域設定部２６が、その態様で入力された項目名に結び付けられた記入領域Ｐ２を非送信領域として設定する。なお、所定の態様とは、例えば項目名の前、後、又は前後に所定文字を付加して入力する方法などが挙げられる。
また、非送信領域の設定の仕方としては、テンプレートファイルに含まれる種々の記入領域Ｐ２の中から所望の領域を例えばチェックボックス等により選択可能にしておき、ユーザが選択した記入領域Ｐ２が非送信領域として設定されるようにしても良い。
【００６７】
そして、１又は複数の記入領域Ｐ２が非送信領域として設定されたテンプレートファイルは、テンプレート格納部１１からテキスト統合部２３に出力されても良い。
このような構成であれば、テキスト統合部２３により作成されたテキスト統合データに対して、非送信領域の文字列をオペレータが入力して追加することができる。
これにより、非送信領域以外に記入された文字列は、自動的にテキスト統合データに含まれ、非送信領域に記入された文字列は、外部に出力されることなく、マニュアルでテキスト統合データに含ませることができる。
【００６８】
このような構成であれば、外部に送信できない項目を非送信領域として設定することで、取り決めに従いながら、残りの送信可能な項目に対して本発明に係る帳票登録装置１を利用することができる。
【００６９】
なお、上述した構成において、イメージ分割部１６としては、非送信領域設定部２６により設定された非送信領域の分割イメージデータを作成しても良いし、作成しなくても良い。非送信領域の分割イメージデータを作成する場合は、分割データシャッフル部が、非送信領域の分割イメージデータを分割イメージ格納部１７から取得しないように構成されていれば良い。
【００７０】
また、上述したように非送信領域を設定した場合、テキスト統合部２３が作成して表示するテキスト統合データには、非送信領域に設定された記入領域Ｐ２のみならず、非送信領域には設定されてはいないものの未記入な記入領域Ｐ２も空白な状態となる。
そこで、テキスト統合部２３は、非送信領域として設定された記入領域Ｐ２を、その他の記入領域Ｐ２と識別可能に表示することが好ましく、具体的には記入領域Ｐ２の色を変えたり、記入領域Ｐ２の内部又は外部近傍に識別文字を付す等の表示態様を挙げることができる。
【００７１】
さらに、テキスト統合部２３は、非送信領域として設定された記入領域Ｐ２をフィルタリングして表示出力するように構成されていても良い。
これならば、ユーザは、フィルタリングして表示された非送信領域に、次々と文字列を入力することができるので、非送信領域を設定する構成においても、作業の高効率化を図れる。
【００７２】
また、前記実施形態の分割イメージ送信部２０は、分割イメージシャッフル部１８により生成された送信用データ群単位で分割イメージデータを文字認識手段３に送信していたが、分割イメージデータを１つずつ送信しても良いし、全てを一括して送信しても良い。
【００７３】
その他、本発明の趣旨に反しない限りにおいて様々な実施形態の変形や組み合わせを行っても構わない。
【符号の説明】
【００７４】
Ｘ    ・・・帳票登録システム
２    ・・・撮像手段
３    ・・・文字認識手段
１    ・・・帳票登録装置
Ｐ    ・・・帳票
Ｐ１  ・・・記入欄
Ｐ２  ・・・記入領域
１１  ・・・テンプレート格納部
１２  ・・・帳票イメージ格納部
１３  ・・・ファイル名変更部
１４  ・・・ユニークファイル格納部
１５  ・・・参照テーブル作成部
１６  ・・・イメージ分割部
１７  ・・・分割イメージ格納部
１８  ・・・分割イメージシャッフル部
１９  ・・・参照テーブル蓄積部
２０  ・・・分割イメージ送信部
２１  ・・・分割テキスト受付部
２２  ・・・分割テキスト格納部
２３  ・・・テキスト統合部
２４  ・・・データ出力部
２５  ・・・データ抜き取り部
２６  ・・・非送信領域設定部
【図１】
2020107330.tif 000003
【図２】
2020107330.tif 000004
【図３】
2020107330.tif 000005
【図４】
2020107330.tif 000006
【図５】
2020107330.tif 000007
【図６】
2020107330.tif 000008
【図７】
2020107330.tif 000009
【図８】
2020107330.tif 000010
【図９】
2020107330.tif 000011